(57)【要約】      （修正有）【課題】粉体や顆粒状の人工骨材料を骨欠損部に補填する時に、周囲への散らばりや脱落なしに、補填量を制御しながら補填ができる人工骨補填治具を提供する。【解決手段】補填治具の本体に人工骨材料を収納するための空腔があり、本体には人工骨材料を収納するための補充口６２と、収納された人工骨材料を外部へ排出するための排出口６３があり、補充口と排出口が本体を使用状態で水平にしたときに、水平面を基準にして補充口が上側に位置し、排出口が下側に位置するような位置関係をなし、排出口にはシャッター６４があり、シャッターは連結材によりレバー６５と連結し、レバーの操作によってシャッターが開閉し、排出口から人工骨材料が外部へ排出され、レバー操作を調整することによってシャッターの開閉が調整され排出量の制御が可能となる人工骨補填治具。補填作業においては術者は本体を片手で握り、指でレバーの操作を行うことが可能な構造となっている。【選択図】図６
2014195632.tif 000002
【特許請求の範囲】
【請求項１】
人工骨補填治具において、
粉体あるいは顆粒状の人工骨材料を充填するための空腔部分を持った本体があり、
その空腔部分に該人工骨材料を補充するための補充口があり、
補充された該人工骨材料を排出するための排出口があり、
該排出口に開閉動作が可能なシャッターが設けられ、シャッターの開閉動作により該排出口から該人工骨材料の排出を規制する構造となっており、
該シャッターの開閉をおこなうためのレバーが本体に設けられ、
該レバーと該シャッターとを連結する連結媒体があり、
該レバーを操作させると連結媒体を通して動作がつながり、
該シャッターが排出口に設けられたガイドに沿って摺動する構造となっていることで開閉動作が行われ、
該人工骨材料の補填操作を行う作業者が、本体を持った状態で、該レバーの操作を行えることを特徴とする人工骨補填治具。
【請求項２】
請求項１において、本体のすべて、あるいは一部が透明の素材で作られ、内部に補充された人工骨材料の内容量を外部から目視で確認できることを特徴とする補填治具。
【請求項３】
請求項１において、人工骨の補填操作を行うときに、水平面を基準面とした場合に補充口が排出口よりも上部に位置する構造であることを特徴とする補填治具。
【請求項４】
請求項１において、粉体又は顆粒状の人工骨材料の排出口に、排出された人工骨材料の案内ガイドがついた構造であることを特徴とする補填治具。
【請求項５】
請求項１、請求項２，請求項３，請求項４において、粉体又は顆粒状の人工骨材料を補充口から補充した後、補充口にフタをすることができる構造であることを特徴とする補填治具。
【発明の詳細な説明】
【技術分野】
【０００１】  本発明は、粉体や顆粒状の人工骨材料を補填するための補填治具に関するものである。
【背景技術】
【０００２】  事故や病気などの疾患により骨に欠損部が生じたときの治療として、欠損した骨を修復するためにＨＡ（ハイドロキシアパタイト）やβ−ＴＣＰ（β−リン酸三カルシウム）などの人工骨材料が治療材料として手術に使用されている。【０００３】  これらの手術は主に整形外科医によって行われ、疾患部分の状況により粉体あるいは顆粒状の人工骨材料の小片を、鋭匙又は医療用のさじ、あるいはスプーン等を用いて、欠損により生じた骨の空隙部へ補填することが行われている。【０００４】  しかし、この鋭匙などを用いた補填作業は粉体や顆粒が周辺の軟部組織へこぼれ落ち、あるいは散らばり、目的とする部位へ十分に充填されないことで作業性が悪く、円滑な手術の妨げとなっていた。【０００５】  手術中に人工骨材料の粉体や顆粒が、補填を避けたい周辺の軟部組織にこぼれ落ちて付着してしまうと、これを取り除くために生理食塩水を用いて流し取るか、あるいは軟部組織に付着した１粒１粒をピンセットを用いて除去する必要があり、手術時間の増大となっていた。【０００６】  上記の不具合の改善策としてロート状の治具を用いる事があるが、ロートの内部で粉体や顆粒がひっかかり詰まりが生じやすく作業性が悪かった。ＨＡ製やβ−ＴＣＰ製の人工骨は硬度が高く、表面に角があるためロート内面に詰まり易く、無理に押し込むとロート内面を削る事となり、削られたロートの素材が人工骨材料に混ざり問題となるところである。【０００７】  また、股関節手術などのように術野の深い位置に人工骨材料の補填が必要となった場合、必然的に先端部の長いロートを使用するが、ロートの口元から粉体や顆粒を充填する作業とロートの先端部から排出されるタイミングに時間差があるため、手術者が必要とする補填量を正確に制御することが困難であった。
【先行技術文献】
【０００８】  なし
【発明の概要】
【発明が解決しようとする課題】
【０００９】  解決しようとする課題は、人工骨の補填が必要な手術において、粉体や顆粒状の人工骨材料を骨欠損部に補填する時に、周辺の組織部への散らばりや脱落なしに速やかに狙った場所へ補填することができないことである。【００１０】  また、粉体や顆粒状の人工骨材料を補填する時、手術者が適量と考える補填量にするための補填操作が行えないことである。
【課題を解決するための手段】
【００１１】  本発明は、粉体や顆粒状の人工骨材料を骨欠損部へ補填する時に、狙った部位に、正確に、速やかに、補填量を制御しながら補填することを可能とする人工骨補填治具であることを主要な特徴とする。
【発明の効果】
【００１２】  本発明による人工骨補填治具は、粉体や顆粒状の人工骨材料を周辺の組織への散らばりや脱落が無く狙った部位へ、補填量を制御しながら適量な供給ができるため、これらの正確な補填作業により手術時間の短縮が図られる利点がある。
【実施例１】
【００１３】  図１は、本発明装置の１実施例である。１は本装置の本体を示し、内部に人工骨材料を収納するための空腔があり、本体はほぼ透明な材質で作られ、透明であることにより外部から本体に収納された量を知ることができる。【００１４】  ２は人工骨材料を本体内部に補充し収納するための補充口を示す。３は人工骨材料を補填治具の本体から外部へ排出するための排出口である。２と３は図示のとおり使用状態の時に、水平面を基準にして補充口が上方向、排出口が下方向となるような位置関係をなすように設計されている。【００１５】４は排出口を開閉させるためのシャッターである。５は該シャッターを開閉するときに該シャッターが摺動するためのガイド溝である。６は連結部材で、５シャッターと７レバーを連結し、該レバーを操作することで該シャッターの開閉作業をおこなうことができる。補填作業中に該レバーを調整しながら操作することで該シャッターの開閉を行わせしめ、補填量を多くするあるいは少なくする等の制御が行える。【００１６】  補填作業の実施時に術者は本体を片手で握り、指でレバーの操作を行うことにより、その状態で人工骨材料の補填作業が可能な構造となっている。【００１７】  次に使用方法を説明する。１の本体をほぼ水平にした状態で、２の補充口から人工骨材料を本体内部の空腔に補充する。【００１８】  １の本体がほぼ透明であることから、内部へ補充された人工骨材料の収納量を外部から目視で確認することができる。【００１９】  人工骨材料を補填するために、４の排出口を、狙った骨欠損部の近傍に位置させる。【００２０】この時、１の本体を傾けて、４の排出口が水平面よりも下になるようにする。【００２１】  本体を片手で把持した状態で、指によって７のレバーを操作すると、６の連結棒を介してシャッターがスライドされて、排出口が開き、本体内部に収納された人工骨材料が排出される。内部の人工骨材料は重力により排出口から外部へ排出される。【００２２】  補填口を骨欠損部に近づけた状態で操作することにより、周辺の組織部への散らばりを抑えて、狙った部位への補填が行われる。【００２３】  本体の把持部分と排出口までの長さを長くすることで、手術部の深い位置への補填が可能となる。【００２４】  レバーの操作量により、シャッターの開口面積を調整でき、大きく開けばより多くの人工骨を短時間で補填することができる。【００２５】  また欠損部への補填が十分に行われた時点で、シャッターを閉じる方向にレバーを操作することで、必要以上の補填を行わず補填作業を止めることができる。【００２６】  図２のように補填口にフタを行い、ハンドリング時に補充口からこぼれるのを防止することができる。
【実施例２】
【００２７】  図３は、本発明の補填治具の実施例２である。１本体の図中の右側に把持し易くするための把持部を設け、４２シャッターと６２連結材を一体化し、７２レバーをリング状にして指による操作を容易に確実に行う構造とした人工骨補填治具である。
【実施例３】
【００２８】  図４は、本発明の補填治具の１本体の左側の３３排出口を斜めに設定し、本体を積極的に斜めに傾けた状態での使用を考慮した人工骨補填治具である。
４３シャッターがガイド溝に倣ってスムーズに摺動する為に、可撓性の部材で作られている。
【実施例４】
【００２９】  図５は、人工骨補填治具に５１アシと５２アシを設置して、机上に置いたときに本体と机上面との間に隙間を設けて、本体を保持するときに指が入りやすくすると同時に、机上で転倒せずに安定して裁置することができる人工骨補填治具である。
【実施例５】
【００３０】  図６は、人工骨補填治具を使用する時の状態を表した図である。６２補充口から人工骨を補充後、本体を若干斜めに設置し、６５レバー（開閉つまみ）を「開く」方向にスライドさせると、６４シャッターが開き、６３排出口から人工骨が排出される。この時、６３排出口には６６案内ガイドが設置されており、排出された人工骨がこれに導かれて、狙った部位への補補が容易に行える構造となっている。本体が透明か、あるいはグレースモークの材質で作られ、内部の人工骨の量が外観から把握できる構造となっている。また、本体の内部で人工骨に詰まりが生じた場合は、補充口から細い棒状のプッシャーで押し出すことができる。（プッシャーは図示していない。）
【図面の簡単な説明】
【００３０】
【図１】図１は人工骨補填治具の実施例１を示した説明図である。
【図２】図２は図１において人工骨材料を補填具から排出するためにシャッターが開いた図である。
【図３】図３は人工骨補填治具の実施例２で、本体に把持部を設け、シャッターの開閉を行うレバーをリング状にした図である。
【図４】図４は人工骨補填治具の本体の排出口を斜めに傾け、補填し易すくした図である。
【図５】図５は人工骨補填治具を机上に置いたときに、本体と机上面との間に隙間を設けるとともに、机上面で転倒せずに安定して裁置させるために本体下部に５１アシおよび５２アシを設置した。
【図６】図６は人工骨補填治具の使用状態を示す図である。
【図７】図７はロートを用いた従来例
【図１】
2014195632.tif 000003
【図２】
2014195632.tif 000004
【図３】
2014195632.tif 000005
【図４】
2014195632.tif 000006
【図５】
2014195632.tif 000007
【図６】
2014195632.tif 000008
【図７】
2014195632.tif 000009